(57)【要約】  レスピレーターのためのカートリッジホルダであって、カートリッジホルダは、第１の非密封位置と、空気流が使い捨てのフィルタカートリッジを通過するのを防止するための、密封プラテンの少なくとも一部が、カートリッジホルダ内で使い捨てのフィルタカートリッジの主要面と接触している第２の密封位置と、の間で移動可能な密封プラテンを有する密封確認装置を含んでいる。【選択図】図４
2018538042.tif 000002
【特許請求の範囲】
【請求項１】
レスピレーターのマスク本体に流体連結されるよう構成されており、かつ内部の使い捨てのフィルタカートリッジを確実に保持するよう構成されているカートリッジホルダであって、
前記カートリッジホルダは、アクチュエータに作動的に接続されている密封プラテンを備える密封確認装置を含んでおり、
前記アクチュエータによって前記レスピレーターのユーザが、前記密封プラテンを第１の非密封位置と第２の密封位置との間で手動で前後に移動させることができ、
前記第１の非密封位置は、前記カートリッジホルダ内に保持されている使い捨てのフィルタカートリッジを空気流が通過できる非密封位置であり、
前記第２の密封位置は、前記密封プラテンの空気非透過性領域の少なくとも一部の背面が、前記使い捨てのフィルタカートリッジの主前面の第１の空気透過性領域の少なくとも周囲と直接接触している、又は前記密封プラテンの空気非透過性領域の少なくとも一部の前面が、前記使い捨てのフィルタカートリッジの主背面の第２の空気透過性領域の少なくとも周囲と直接接触している密封位置であり、
これにより、空気流が前記使い捨てのフィルタカートリッジを通過することを防止するために、前記使い捨てのフィルタカートリッジの前記主前面の前記第１の空気透過性領域が密封される、又は前記使い捨てのフィルタカートリッジの前記主背面の前記第２の空気透過性領域が密封される、カートリッジホルダ。
【請求項２】
前記密封プラテンが前記第２の密封位置に位置する際、前記密封プラテンの空気非透過性領域の少なくとも一部の背面が、前記使い捨てのフィルタカートリッジの主前面の第１の空気透過性領域の少なくとも周囲と直接接しており、前記使い捨てのフィルタカートリッジの前記主前面の前記第１の空気透過性領域が密封され、これにより、前記使い捨てのフィルタカートリッジの中へ濾過されていない空気が流入することが防止される、請求項１に記載のカートリッジホルダ。
【請求項３】
前記使い捨てのフィルタカートリッジの前記主前面の前記第１の空気透過性領域は、複数のスルーホールを備え、
前記密封プラテンの前記空気非透過性領域は、連続的な無孔領域であり、前記密封プラテンが前記第２の密封位置に位置する際、前記使い捨てのフィルタカートリッジの前記第１の主要面の前記複数のスルーホールのうちの全てのスルーホールが、前記密封プラテンの前記連続的な無孔領域の局所エリアにより個別に閉塞されている、請求項２に記載のカートリッジホルダ。
【請求項４】
前記密封プラテンの第１の端部が、回動連結部により前記フィルタカートリッジに回動連結されており、
前記密封プラテンは、前記回動連結部に対して遠位である前記密封プラテンの少なくとも第２の端部が、前記使い捨てのフィルタカートリッジの前記主前面から前方に離れて位置している第１の非密封位置と、前記密封プラテンの少なくとも前記第２の端部の背面が、前記使い捨てのフィルタカートリッジの前記主前面の一部と直接接触している第２の密封位置と、の間で移動可能である、請求項３に記載のカートリッジホルダ。
【請求項５】
前記使い捨てのフィルタカートリッジの前記主前面の前記第１の空気透過性領域が、パターンで配置されている複数のスルーホールを備え、
前記密封プラテンの前記空気非透過性領域は、前記密封プラテンが第１の非密封位置に位置する際、前記使い捨てのフィルタカートリッジの前記主前面の前記スルーホールと少なくとも部分的に重なるようなパターンで配置されているスルーホールによって分断された非連続的な空気非透過性領域であり、
前記密封プラテンの背面の少なくとも実質的な部分は、前記使い捨てのフィルタカートリッジの前記主前面の前記第１の空気透過性領域の少なくとも実質的な部分と重なる位置関係にあり、かつ接触しており、
前記密封プラテンは、前記使い捨てのフィルタカートリッジの前記主前面に対して、前記使い捨てのフィルタカートリッジの前記主前面に少なくとも実質的に平行な方向に、第１の非密封位置と第２の密封位置との間をスライド移動可能であり、
前記第１の非密封位置は、濾過されていない空気が前記使い捨てのフィルタカートリッジ内に流入するように、前記密封プラテンの少なくともいくつかの前記スルーホールの少なくともいくつかの部分が、前記使い捨てのフィルタカートリッジの前記主前面の少なくともいくつかの前記スルーホールと少なくとも部分的に重なる非密封位置であり、
前記第２の密封位置は、前記密封プラテンの前記スルーホールのいかなる部分も、前記使い捨てのフィルタカートリッジの前記主前面の前記スルーホールのいかなる部分とも重ならない非密封位置であり、
前記第２の密封位置においては、前記使い捨てのフィルタカートリッジの前記主前面の前記複数のスルーホールのうちの全てのスルーホールが、前記密封プラテンの前記不連続的な空気非透過性領域の局所エリアにより個別に閉塞されている、
請求項２に記載のカートリッジホルダ。
【請求項６】
前記密封プラテンの前記空気非透過性領域は連続的な無孔領域であり、
前記密封プラテンは密封フランジを備え、当該密閉フランジは、前記密封プラテンの前記連続的な無孔の空気非透過性領域の周囲全体に延びており、そこから概ね後方に延びており、かつ、後方面を有しおり、
前記密封プラテンが前記第２の密封位置に位置する際、前記密封フランジの前記後方面全体が、前記使い捨てのフィルタカートリッジの前記第１の前向きの主要面の前記空気透過性領域の周囲に直接接触している、請求項２に記載のカートリッジホルダ。
【請求項７】
前記アクチュエータは前記密封プラテンの主前面を備え、前記密封プラテンを少なくとも前記第２の密封位置へと移動させるために、前記主前面は後方に手動で押し出されることができる、請求項２に記載のカートリッジホルダ。
【請求項８】
前記アクチュエータは、前記密封プラテンを前記第２の密封位置へと移動させるように動作可能な可動ハンドルを備える、請求項２に記載のカートリッジホルダ。
【請求項９】
前記密封プラテン及び／又は前記アクチュエータが、前記第１の非密封位置に向かって付勢され、それにより、前記アクチュエータへの継続的な手動の作動力がユーザによって維持されない場合、前記密封プラテンは前記第２の密封位置から前記第１の非密封位置に戻されることになる、請求項２に記載のカートリッジホルダ。
【請求項１０】
前記密封プラテンは、第１の手動による作動工程により、いったん前記第２の密封位置に移動されると、ユーザによる前記アクチュエータへの継続的な手動の作動力が無くても、前記第２の密封位置に維持され、
前記第２の密封位置から前記第１の非密封位置へと前記密封プラテンを移動させるためには、第２の手動による作動工程が必要である、請求項２に記載のカートリッジホルダ。
【請求項１１】
前記カートリッジホルダは、前記カートリッジホルダの主前面を規定する覆い部と、前記カートリッジホルダの主背面を規定するベース部と、を備え、
前記覆い部は、使い捨てのフィルタカートリッジが前記ホルダ内に取り付け可能である第１の開位置と、前記覆い部及び前記ベース部が、前記カートリッジホルダ内に取り付けられている使い捨てのフィルタカートリッジを確実に保持する第２の閉位置と、の間で前記ベース部に対して移動可能である、請求項１に記載のカートリッジホルダ。
【請求項１２】
前記覆い部は、第１の相補的な嵌合特徴部を備え、
前記ベース部は、前記覆い部の前記第１の相補的な接合特徴部に対して相補的である第２の相補的な嵌合特徴部を備え、
前記第１と前記第２の相補的な嵌合特徴部は、前記覆い部が前記第２の閉位置に位置する際、共同してラッチを形成し、
当該ラッチは、前記覆い部を前記閉位置に保持すると共に、前記使い捨てのフィルタカートリッジを前記カートリッジホルダ内に確実に保持するために、前記覆い部及び前記ベース部に対して、前記使い捨てのフィルタカートリッジの前記第１と前記第２の主要面に対する圧縮力を発生させる、請求項１１に記載のカートリッジホルダ。
【請求項１３】
前記カートリッジホルダは濾過されていない空気の吸入口を備え、前記吸入口は、前記覆い部の下端と前記ベース部の下端との間に画定されており、
前記吸入口により、濾過されていない空気が前記使い捨てのフィルタカートリッジの前方に配置された上流プレナムに流入する、請求項１１に記載のカートリッジホルダ。
【請求項１４】
マスク本体と、前記マスク本体に流体連結される請求項１に記載の少なくとも１つのカートリッジホルダと、を備えるレスピレーター。
【請求項１５】
前記カートリッジホルダ内に取り付けられている使い捨てのフィルタカートリッジを更に備える、請求項１４に記載のレスピレーター。
【請求項１６】
使い捨てのフィルタカートリッジが前記カートリッジホルダ内に取り付けられており、前記カートリッジホルダが閉位置に位置する際、前記レスピレーターは、前記使い捨てのフィルタカートリッジの後方に配置されている下流プレナムを含んでおり、かつ、前記フィルタカートリッジを通過して流れる濾過された空気を受け入れる下流空気経路を備えており、
前記下流空気経路は、前記カートリッジホルダの前記下流プレナムを前記レスピレーターの前記マスク本体に流体連通する、前記カートリッジホルダの空気流出経路を更に含んでおり、
前記下流空気経路は、前記マスク本体の内部にある濾過空気受け入れ部を更に含んでおり、
前記密封確認装置のいかなる部分も、前記レスピレーターの前記下流空気経路の中に、若しくは部分的に中に配置されておらず、又は接触していない、請求項１４に記載のレスピレーター。
【請求項１７】
前記レスピレーターは、ハーフマスク型のレスピレーター、フルマスク型のレスピレーター、又は送気型のレスピレーターである、請求項１４に記載のレスピレーター。
【請求項１８】
負圧密封確認装置を含むカートリッジホルダ内に取り付けられるよう構成されている使い捨てのフィルタカートリッジであって、
前記使い捨てのフィルタカートリッジは、当該使い捨てのフィルタカートリッジの主上流面の第１の空気透過性領域を備え、
前記第１の空気透過性領域の少なくとも一部は、濾過されていない空気の流れが前記使い捨てのフィルタカートリッジの中に流入することを防止するために、前記カートリッジホルダの前記密封確認装置の密封プラテンの空気非透過性領域の少なくとも一部と直接接触しているよう構成されている、使い捨てのフィルタカートリッジ。
【請求項１９】
前記使い捨てのフィルタカートリッジは、第１の主側面及び反対向きの第２の主側面を含む濾材と、ケーシングと、
を備え、
前記ケーシングは、前記濾材の前記第１の主側面の外側に配置されており、かつ前記使い捨てのフィルタカートリッジの主前面の第１の空気透過性領域を実現する第１の主要部と、前記濾材の反対向きの前記第２の主側面の外側に配置されており、かつ前記使い捨てのフィルタカートリッジの主背面の第２の空気透過性領域を実現する第２の主要部と、を有している、請求項１８に記載の使い捨てのフィルタカートリッジ。
【請求項２０】
前記ケーシングは厚紙を含み、
前記使い捨てのフィルタカートリッジの前記第１と第２の主要面の前記第１と第２の空気透過性領域は、それぞれ前記ケーシングの前記第１と第２の主要部内の複数のスルーホールにより実現される、請求項１９に記載の使い捨てのフィルタカートリッジ。
【請求項２１】
前記使い捨てのフィルタカートリッジが、前後対称であり、かつ、前後がリバーシブルである、請求項１８に記載の使い捨てのフィルタカートリッジ。
【請求項２２】
請求項１８に記載の複数の使い捨てのフィルタカートリッジを備えるキット。
【請求項２３】
レスピレーターのマスク本体に流体連結されるよう構成されており、かつ内部の使い捨てのフィルタカートリッジを確実に保持するよう構成されているカートリッジホルダであって、
前記カートリッジホルダは、アクチュエータに作動的に接続されている密封プラテンを備える密封確認装置を含んでおり、
前記アクチュエータによって前記レスピレーターのユーザが、前記密封プラテンを第１の非密封位置と第２の密封位置との間で手動で前後に移動させることができ、
前記第１の非密封位置は、前記カートリッジホルダ内に保持されている使い捨てのフィルタカートリッジを空気流が通過できる非密封位置であり、
前記第２の密封位置は、前記密封プラテンの空気非透過性領域の少なくとも一部の主要面が、前記使い捨てのフィルタカートリッジの前記主上流面の前記空気透過性領域の少なくとも周囲と直接接触し、これにより、空気流が前記使い捨てのフィルタカートリッジを通過するのを防止するために、前記使い捨てのフィルタカートリッジの主上流面の空気透過性領域が密封される密封位置である、カートリッジホルダ。
【発明の詳細な説明】
【背景技術】
【０００１】
レスピレーターは、ユーザが清潔な空気を吸うためにしばしば使用され、レスピレーター本体に取り付けられている１つ以上のフィルタユニットを有するマスク本体を一般に含む。
【発明の概要】
【０００２】
大まかな要約において、第１の非密封位置と、空気流が使い捨てのフィルタカートリッジを通過するのを防止するために、密封プラテンの少なくとも一部が、カートリッジホルダ内の使い捨てのフィルタカートリッジの主要面と接触している第２の密封位置とで作動可能な密封プラテンを有する密封確認装置を含んでいるフィルタカートリッジホルダが本明細書では開示される。そのようなカートリッジホルダを使用するレスピレーター、及びそのようなカートリッジホルダ内で使用するよう構成されている使い捨てのフィルタカートリッジもまた開示される。本発明のこれらの態様及び他の態様は、以下の詳細な説明から明らかとなろう。しかしながら、かかる主題が、最初に出願された出願の特許請求の範囲において提示されたか、又は補正後の特許請求の範囲において提示されたか、さもなければ特許審査中に提示されたかに関係なく、この広範な概要は、いかなる場合にも請求可能な主題を限定するものとして解釈されるべきではない。
【図面の簡単な説明】
【０００３】
【図１】例示的なカートリッジホルダを含む例示的なレスピレーターの前側面の部分分解斜視図である。
【図２】図１の例示的なレスピレーターの後側面の部分分解斜視図である。
【図３】例示的なカートリッジホルダ及び例示的な使い捨てのフィルタカートリッジの前側面の部分分解斜視図である。
【図４】例示的な使い捨てのフィルタカートリッジが中に取り付けられている、例示的なカートリッジホルダの断面切断図である。
【図５ａ】例示的な使い捨てのフィルタカートリッジに関連する、第１の非密封位置で示された例示的な密封プラテンの前側面の部分斜視図である。
【図５ｂ】例示的な使い捨てのフィルタカートリッジに関連する、第２の密封位置で示された例示的な密封プラテンの前側面の部分斜視図である。
【図６】図５ａ及び図５ｂの例示的な密封プラテンの後側面の部分斜視図である。
【図７】別の例示的なカートリッジホルダ及び例示的な使い捨てのフィルタカートリッジの前側面の部分分解斜視図である。
【図８ａ】例示的な使い捨てのフィルタカートリッジに関連する、第１の非密封位置で示された別の例示的な密封プラテンの前側面の部分斜視図である。
【図８ｂ】例示的な使い捨てのフィルタカートリッジに関連する、第２の密封位置で示された別の例示的な密封プラテンの前側面の部分斜視図である。
【図９】図８ａ及び図８ｂの例示的な密封プラテンの後側面の部分斜視図である。
【図１０】別の例示的な密封プラテン及び例示的な使い捨てのフィルタカートリッジの前側面の分解部分斜視図である。
【発明を実施するための形態】
【０００４】
様々な図面における類似参照番号は類似要素を表す。いくつかの要素は、同一又は等価の複数で提示されることが可能であり、つまり１つのみ又はそれ以上の代表的要素が参照番号で示されることが可能な場合であっても、このような参照番号は、そのような同一要素のすべてに適用されると理解されたい。特に指定されない限り、本文献におけるすべての図面及び図は、一定の縮尺ではなく、本発明の異なる実施形態を例示する目的で選択される。特に、様々な構成要素の寸法は、指示のない限り、例示的な意味合いとしてのみ記述され、様々な構成要素の寸法間の関係は、図面から推測されるべきではない。「上部」、「下部」、「上側」、「下側」、「下」、「上」、「上方」、及び「下方」、並びに「第１」及び「第２」などの用語が本開示に使用され得るが、特に断らない限り、これらの用語はあくまで相対的な意味においてのみ使用される点を理解すべきである。
【０００５】
特性又は属性に対する修飾語として本明細書で使用する場合、用語「概して」とは、特に具体的に定義されていない限り、この特性又は属性が、当業者によって容易に認識され得るが、絶対的な精度又は完全な一致を必要とするものではない（例えば、定量化可能な特性の場合、＋／−２０％以内）という意味である。用語「実質的に」は、特に具体的に定義されていない限り、高度の近似（例えば、定量化可能な特性の場合、＋／−１０％以内）を意味するが、この場合もやはり、絶対的な精度又は完全な一致を必要とするものではない。同一の、等しい、均一な、一定の、厳密に等の用語は、絶対的な精度又は完全な一致を必要とするものではなく、特定の状況に適用可能な、通常の許容誤差又は計測誤差の範囲内にあるものと理解される。
【０００６】
用語解説
「前の」「前方へ」「前へ」「前を向く」「最も前方の」などの用語は、ある部品が使われているレスピレーターに関して定義され、レスピレーターを装着しているユーザの顔面から概ね離れる方向を意味する。「後ろの」「後方へ」などの用語は、レスピレーターを装着しているユーザの顔面に概ね向かう方向を意味する。
【０００７】
「内側の」「内側へ」などの用語は、フィルタカートリッジに関して定義され、フィルタカートリッジの内部に向かう方向を意味する。「外側の」「外側へ」などの用語は、フィルタカートリッジの内部から離れる方向を意味する。
【０００８】
「空気透過性の」という単語は、空気流を通過させる部品（例えばシートのような層）、又は部品の領域を意味し、任意の適切な手段、例えば穿孔されたスルーホールを設けることなどにより達成することができる。
【０００９】
「空気非透過性の」という単語は、空気流を通過させない部品、又は部品の（連続又は不連続どちらかの）領域を意味する。
【００１０】
「密封する」「密封されている」「密封している」などの表現は、使い捨てのフィルタカートリッジの主要面の何もしなければ空気透過性である領域を物理的に封鎖（閉塞）するために、使い捨てのフィルタカートリッジの主要面の少なくとも一部と直接接触し、それにより空気がそこを通って流れなくすることを意味する。そのような密封は、例えば、部品の主要面の穿孔された領域に空気が到達することを阻止することにより（例えば、穿孔された領域の周囲を密封することにより）、及び／又は穿孔された領域の全てのスルーホールをそれぞれ封鎖することにより実行できる。
【００１１】
「上流」は、空気がフィルタカートリッジに入る前の、（濾過されていない）空気が流入する経路の部分を意味し、「下流」は、空気がフィルタカートリッジから出た後の、（濾過された）空気が流出する経路の部分を意味する。
【００１２】
例示的なレスピレーター３００が、前側面の部分分解斜視図で図１に、後側面の部分分解斜視図が図２に示されている。例示的なレスピレーター３００は、カートリッジホルダ６０に取り付けられており、レスピレーター３００のマスク本体３１０と流体連通している使い捨てのフィルタカートリッジ１を含んでいる。図３は、例示的なカートリッジホルダ６０の前側面の部分分解斜視図と、カートリッジホルダ６０内に取り付けられている例示的な使い捨てのフィルタカートリッジ１を表している。カートリッジホルダ６０は、レスピレーター３００の使用中、内部の使い捨てのフィルタカートリッジ１を確実に保持するよう構成されている。使い捨てのフィルタカートリッジ１は、レスピレーター３００の通常使用において、適切な回数（例えば使い切ったとき）で破棄され交換されるよう構成されている点で、カートリッジホルダ６０とは区別される。（「使い捨て」という用語は、例えば、処理する、リサイクルするなどを含むために広く使われることに留意する。）反対に、カートリッジホルダ６０はレスピレーター３００の非使い捨て部品である。すなわち、レスピレーター３００のマスク本体３１０から取り外し可能であるが、レスピレーター３００の通常使用において交換されることはなく、例えばある程度の損傷、著しい摩耗などがカートリッジホルダ６０に発生した際にのみ交換されることになる。交換可能カートリッジホルダ６０は、そのような状況で入手することができるが（例えばユーザが全く新しいレスピレーター３００を入手しなければならないのではなく、）、レスピレーターの背景知識を有する当業者は、カートリッジホルダ６０と使い捨てのフィルタカートリッジ１の基本的な相違を理解するであろう。
【００１３】
使い捨てのフィルタカートリッジ１は、例えば図３及び図４の例示的な実施形態に示されるように、ケーシング５０内に少なくとも部分的に入れられている空気用濾材１０（図４でもっとも容易に見ることができる）を含んでいる。いくつかの実施形態において、フィルタカートリッジ１は例えば４つの角部を有する長方形（特に正方形を含む）の形状であってもよい。フィルタカートリッジ１は、第１の主要面／主側面２と、第２の主要面／主側面３を含んでおり、したがって濾材１０は、第１の主側面２５と第２の主側面３５を含んでいる。多くの実施形態において、フィルタカートリッジ１は前後対称であってもよく、フィルタカートリッジ１はフィルタカートリッジホルダ内に、第１の主側面２が前方を向くか、又は第２の主側面３が前方を向くように取り付けることができる。すなわち、そのような実施形態において、空気の流れは第１の主側面２上からフィルタカートリッジ１に流入し、そして第２の主側面３上から流出してもよく、逆も又同様である。したがって、濾材１０及びフィルタカートリッジ１の第１及び第２の主側面／主要面のいずれの名称も、説明の利便性のために使用するものであり、主側面／主要面が実質的な点においても必ず異なっていなければならないことを意味するものではないことが理解されるであろう。
【００１４】
フィルタカートリッジのケーシング５０は、使い捨てのフィルタカートリッジ１の一部であり、濾材１０に（直接的又は間接的に）恒久的に取り付けられている。したがって定義により、ケーシング５０は、カートリッジホルダ６０の一部ではない。フィルタカートリッジケーシング５０は、第１の主要部５１を含んでいる。この第１の主要部は、濾材の第１の主側面２５の外側にあり、フィルタカートリッジ１の主前面を実現する主前面５９を有している。ケーシング５０の第１の主要部５１は、（周囲部５８を有している）第１の空気透過性領域５２を含んでおり、第１の空気透過性領域５２内においてケーシング５０には複数のスルーホール５５が設けられている。いくつかの実施形態において、ケーシング５０の主要部５１は、例えば図３に示されるように、（例えば穿孔された）空気透過性領域５２を取り囲んでいる空気非透過性の（例えば、穿孔されていない）額縁境界部５６を有していてもよい。
【００１５】
ケーシング５０は、第２の主要部５３を更に含んでいてもよく、この第２の主要部は、濾材の第２の主側面３５の外側に位置しており、第２の空気透過性領域５４（これらの部品は図３に直接的に図示されていないことに留意されたい）を含む。記載したように、多くの実施形態において、フィルタカートリッジ１とそのケーシング５０は対称であり、リバーシブルにすることができ、主要ケーシング部５３とその特徴部が上記の主要ケーシング部５１とその特徴部に対応していてもよい。いくつかの実施形態において、ケーシング５０は、少なくともいくつかの非主要部（例えば側壁）を含むために濾材１０の周囲に延在してもよく、非主要部は、濾材の少なくともいくつかの非主要端面の外側に位置し、かつ閉塞している。いくつかの実施形態において、ケーシング５０は、濾材の２つの非主要端面の周囲に延びてこれらを閉塞してもよい。この閉塞は、例えば固化した接着性のダム部材によって閉塞された濾材の第３及び第４の端部を用いて行われる。他の実施形態において、ケーシング５０は、例えば濾材の６つのすべての面（２つの主要面と４つの非主要端面）の周囲に延びていてもよい。ケーシング５０には、単一のケーシング部材又は組み合わさって機能する複数のケーシング部材を設けることができる。ケーシング５０は、例えば接着剤を使用するなど、任意の適切な方法で濾材１０に取り付けることができる。ケーシング５０は、例えばプラスチック、板紙などの任意の適当な材料で製造されていてもよい。特定の実施形態において、ケーシング５０は板紙から製造されている。様々な実施形態において、ケーシング５０の厚さは、０．１〜１．０ｍｍの範囲か、又は０．２〜０．８ｍｍの範囲か、又は０．４〜０．６ｍｍの範囲であってもよい。
【００１６】
記載されているように、使い捨てのフィルタカートリッジ１は、レスピレーター３００で使用するためのカートリッジホルダ６０内に取り付けられている。カートリッジホルダ６０はフィルタカートリッジ１の一部ではなく（逆も同様であり）、フィルタカートリッジ１とカートリッジホルダ６０は互いに恒久的に取り付けられていないことが理解される。むしろ、カートリッジホルダ６０は、その内部に取り付けられたフィルタカートリッジ１を受け入れるよう構成されており、フィルタカートリッジの使用可能期間にわたってマスク本体にフィルタカートリッジを流体連結するよう機能し、使用可能期間の後は、フィルタカートリッジは取り外され、交換される。例示的なカートリッジホルダ６０は、図３に前側面の部分分解斜視図で示されている。例示的な実施形態において、カートリッジホルダ６０は、カートリッジホルダの前側面６１を実現する覆い部６４と、カートリッジホルダの背側面６２を実現するベース部６５とから適切に形成されている（ただし、部品の任意の数に応じて、カートリッジホルダ６０の任意の好適な設計を使用してよい）。図１に示されているように、カートリッジホルダ６０は、（慣例的な意味を持つ用語である）上端部７６と下端部７５を有している。
【００１７】
組み立てられた際、カートリッジホルダ６０は、少なくとも実質的に空気非透過性（つまり、実質的に覆われていない内部への開口部を有しない）であってもよい。ただし、例えばカートリッジホルダ６０の下端部７５に位置している、少なくとも１つの未濾過空気吸入口６３、及び濾過空気がカートリッジホルダ６０から流出してマスク本体３１０に到達する際に通過する少なくとも１つの濾過空気流出口７７は除く。未濾過空気吸入口６３をカートリッジホルダの下端部に配置することで、カートリッジホルダの前側面６１により（例えば空気非透過性の覆い部６４により）前面側がシールドされ、液体の飛沫、（例えば研磨のような）工業上の工程により排出されるゴミ、溶接の火花などからフィルタカートリッジを有利にシールドできることが理解される。しかし、未濾過空気吸入口は、カートリッジホルダ６０の任意の所望の位置に配置することができる。例えば、吸入口は、カートリッジホルダ６０の覆い部６４の前を向く面に、例えばその上に飛沫シールドを設けて、配置することができる。あるいは、未濾過空気吸入口は、カートリッジホルダ６０の後ろの位置（例えば、ベース部６５の背面上に）に設けることができる。そのような場合、フィルタカートリッジの前面をカートリッジの上流面と呼んでいる本明細書内の全ての説明、及びフィルタカートリッジの背面をカートリッジの下流面と呼んでいる本明細書内の全ての説明は、入れ替えて理解される。
【００１８】
図３の例示的な実施形態において、覆い部６４はベース部６５に対してクラムシェルのようにヒンジ式に連結されており、覆い部６４は、ベース部６５に対してヒンジ連結部６９を中心に回転することができ、（使い切った）フィルタカートリッジ１を取り除き、交換用のフィルタカートリッジ１を挿入できるよう充分に、カートリッジホルダ６０を開放する。しかし、これは単に例示的な実施形態であり、例えば、覆い部６４はベース部６５に対してヒンジ式に連結されておらず、（例えばスナップ嵌めによって、）ベース部６５に対して着脱可能であってもよい。覆い部がベース部に対してヒンジ式に連結される場合、覆い部は別個に製造される部品であってもよく、覆い部とベース部は、ヒンジ式の連結部を実現する相補的な嵌め合い機能部を有する。他の実施形態において、覆い部とベース部は同じ材料から作製することができ、いくつかの実施形態において、覆い部とベース部は、カートリッジホルダの２つの部分の間にヒンジ式の連結部を実現する一体丁番を有する一つのユニットとして成形することができる。
【００１９】
どのような特定の設計であっても、カートリッジホルダ６０は第１のホルダ部（例えば覆い部）を含んでいてもよく、第１のホルダ部は第２のホルダ部（例えばベース部）に対して、フィルタカートリッジ１をカートリッジホルダ内へ取り付け可能な第１の開位置と、フィルタカートリッジがカートリッジホルダ内に確実に保持される（挟まれる）第２の閉位置との間で移動可能である。ホルダ部は（その数に関係なく）例えば成形された熱可塑性ポリマー材料（例えば射出成形樹脂）で適切に製造することができる。特定の実施形態において、第１の及び／又は第２のホルダ部は、１つ以上の圧縮構造体を含んでいてもよい。この圧縮構造体は、フィルタカートリッジをその場所に確実に保持し、フィルタカートリッジのエッジの周囲から空気が漏出しないようにするために、フィルタカートリッジの特定の領域を他のホルダ部の受け入れ構造体に対して押し付けるよう構成されている。所望される場合、１つ以上のオプションのガスケットを、カートリッジホルダ内のフィルタカートリッジのフィット部の気密性を向上させるために使用してもよい。
【００２０】
所望される場合、第１と第２のホルダ部が閉位置にある際に、それらを互いに確実に留めるために、１つ以上のラッチを設けることができる。そのようなラッチは任意の好適な形状であってよい。いくつかの実施形態において、ラッチ６７は、相補的な嵌め合い機能部により一括して設けることができ、第１の機能部は例えばホルダの第１の部分６４と一体成形され、第２の機能部は例えばホルダの第２の部分６５と一体成形される。この種の例示的な実施形態において、第１のホルダ部６４は、ホルダ部が共に閉鎖される際に、スロット内の場所にパタッと閉まるように、途中でわずかに偏向しながらスロット７１に係合する偏向可能な舌部７４を含んでもよい。レスピレーターのユーザは舌部７４を手で偏向させ、カートリッジホルダを開放することができる。いくつかの実施形態において、使い捨てのフィルタカートリッジは、上述のように保持部からの力だけにより、第１のホルダ部と第２のホルダ部の間の場所で挟み込まれて保持されてもよい。しかし、他の実施形態において、１つ以上の補助的な留め具（例えばラッチ、留め金、スナップ、ペンチ、ピンなど）を、フィルタカートリッジ１の定位置保持を向上するために使用することができる。同様に、任意の種類の接着剤、フック、面ファスナなどが、そのような目的で使用されてもよい。
【００２１】
図４は、カートリッジホルダ６０内に取り付けられている使い捨てのフィルタカートリッジ１の例示的な配置を示す、（カートリッジホルダ６０の下端部７５の下方、やや横から見た）断面切断図である。（密封プラテンは、後述の空気流の経路を簡単に描写するために、図４から省略されている。）濾過されていない空気は、前述の未濾過空気吸入口６３（図４には図示せず）を通り、カートリッジホルダ６０に入る。そこから、空気は（使い捨てのフィルタカートリッジ１の前方に位置する）上流プレナム６６に入り、次にフィルタカートリッジケーシング５０の第１の空気透過性領域５２のスルーホール５５を通過し、フィルタカートリッジ１に入る（したがって、レスピレーターの（濾過されていない）上流空気経路から出る）。空気は、次に濾材１０を通過し、そこで濾過される。次に、濾過された空気は、ケーシング５０の第２の主要部５３の第２の空気透過性領域５４のスルーホールを通過してフィルタカートリッジ１から流出し、カートリッジホルダ６０の（使い捨てのフィルタカートリッジ１の後方に位置している）下流プレナム６８に到達する。次に、濾過された空気は出口経路７７を通って流れる。出口経路７７は、フィルタカートリッジ１の下流プレナム６８を、マスク本体３１０の濾過空気を受け入れる内側部３１２に流体連結している。（前述の前後対称でリバーシブルなフィルタカートリッジを用いることで、フィルタカートリッジは前後をひっくり返すことができ、それでも説明のような機能を果たすことが理解される。）かくて下流プレナム６８、濾過空気出口経路７７、及びマスク本体３１０の内側部３１２は、一括して１つの下流（濾過）空気経路を提供する。
【００２２】
密封確認装置
本明細書に開示されるカートリッジホルダ６０は、レスピレーター３００の負圧密封確認を行う密封確認装置を含む。当業者であれば、負圧密封確認が、レスピレーター着用中にユーザが吸入する際の空気の流れを遮断することを伴うことを理解するであろう。このように、ユーザは、（例えばレスピレーターのマスク本体が吸引によりユーザの顔面に向かって引っ張られる力により）マスク本体のユーザの顔面へのフィッティングの質を評価できる。
【００２３】
本明細書に開示される配置構成において、密封確認装置はカートリッジホルダ６０に含まれている。そのような配置構成は、密封確認装置が、例えばレスピレーターのマスク本体内に配置されている設計から区別される。更に、定義により、本明細書に開示の密封確認装置は、取り付けられている使い捨てのフィルタカートリッジ自体と相互作用することにより（例えば、密封確認装置の密封プラテンの少なくも一部を使い捨てのフィルタカートリッジの主要面に直接接触させ、そこを通過する空気流を遮断することにより）動作する。そのような配置構成は、使い捨てのフィルタカートリッジの存在又は非存在に依存しないバルブ（例えば、フィルタカートリッジから上流側（又は下流側）に離れて配置されており、カートリッジホルダ及び／又はマスク本体内に単独で存在する部品によって動作し、使い捨てのフィルタカートリッジ自体との相互作用によっては動作しないバルブ）を閉鎖することにより動作する密封確認装置から区別される。いかなる使い捨てのフィルタカートリッジにも依存せずに動作するバルブの一例は、フィルタカートリッジの未濾過空気吸入口の上に配置されているバルブ（例えば日本特許第２００２１２６１１１号内で開示されている型式のバルブ）である。
【００２４】
本明細書に開示の、使い捨てのフィルタカートリッジ自体と相互作用することにより動作する密封確認装置の配置構成は、マスク本体のユーザの顔面へのフィッティングの質を評価できる密封確認工程を提供するだけでなく、使い捨てのフィルタカートリッジがカートリッジホルダ内に適切に取り付けられていることをユーザが確認する能力を向上させることもできる（例えば、フィルタカートリッジの縁の周囲にいかなる空気の漏れもないこと）ことが理解されるであろう。
【００２５】
特定の実施形態において、本明細書に開示の密封確認装置は、使い捨てのフィルタカートリッジのすぐ上流側の空気経路内（例えば上流プレナム内）で動作することができる。例えば、そのような密封確認装置は、例えば、使い捨てのフィルタカートリッジの上流面に対して密封する密封プラテンによって動作してもよいが、レスピレーターの下流空気経路のいかなる場所でも動作せず、又実際に接触してもいない。当業者であれば、そのような配置構成は、密封確認装置自体が、レスピレーターのマスク本体の濾過空気を受け入れる内側部に、未濾過の空気が入り込み得る空気漏れ経路を形成してしまうという可能性を有利に最小化できることを理解するであろう。
【００２６】
いくつかの実施形態において、（図３に最も簡単に図示されるように、）使い捨てのフィルタカートリッジ１の主前面５９の空気透過性領域５２は、使い捨てのフィルタカートリッジのケーシング５０内の複数のスルーホール５５（例えば穿孔）によって実現される。一般的に、密封確認装置の密封機能は、フィルタカートリッジケーシングのスルーホールをそれぞれ個別に、密封プラテンの局所的な空気非透過性領域により個別に密封（閉塞）することにより達成することができる。及び／又はフィルタカートリッジケーシングの穿孔領域の少なくとも周囲を密封することにより、そのような全てのスルーホールへの空気経路を遮断することにより達成することができる。これらのアプローチの両方について、以下に詳細に論じる。更に、密封プラテンの密封位置への移動（運動）は、例えば、使い捨てのフィルタカートリッジの主前面に対して垂直の方向に密封プラテンを並進運動させること、又は密封プラテンを回動させることで使い捨てのフィルタカートリッジの主前面に対して（局所的に）垂直の方向に密封プラテンの少なくとも１つの端部を移動させること、又は使い捨てのフィルタカートリッジの主前面に対して平行な方向に密封プラテンをスライドさせることにより、実行することができる。これらの一般的なアプローチ及びそれらの変形の全ては、下記に詳細に説明される。
【００２７】
図７、図８ａ〜図８ｂ及び図９に示される一般的な形式の実施形態において、密封確認装置４００は、（図９に最も簡単に図示される）主背面４１５を有する密封プラテン４１０を含んでいてもよい。（図８ａ及び図８ｂにおいて、カートリッジホルダ６０の他の部品は省略されており、密封プラテン４１０の構造と機能をより明確に表現できている。）密封プラテン４１０は主領域４１６を含み、主領域にわたって背面４１５は少なくとも実質的に平坦であってもよい。主領域４１６は連続的な無孔領域（主領域４１６の周囲では、主領域４１６はいかなるスルーホールによっても中断されていないことを意味する）である。密封プラテン４１０の第１の端部は、回動連結部４１２（例えば、ヒンジ、一体丁番などであってもよい）によってカートリッジホルダ６０に（この実施形態では覆い部６４に）連結されている。密封プラテン４１０が（図８ａに示すように）第１の非密封位置に位置する際、回動連結部から遠位にある、密封プラテン４１０の端部４１３は、フィルタカートリッジ１の主前面５９から前方に離間しており、空気流がそれらの間の空間に流入する。（プラテン４１０は、ホルダ６０の未濾過空気吸入口６３に端部４１３が近接して配置されるように適切に配向することができる。）
【００２８】
密封プラテン４１０は、図８ｂに示されているように、プラテン４１０の端部４１３が、フィルタカートリッジ１の主前面５９に向かって回動され、この主前面５９に接している第２の密封位置に手で移動（運動）することができる。これにより、密封プラテン４１０の背面４１５が、密封プラテン４１０の主領域４１６の少なくとも実質的に全体にわたって、フィルタカートリッジの主前面５９と、フィルタカートリッジの主領域５２の少なくとも実質的に全体にわたって直接接触する。このようにして、フィルタカートリッジの主前面５９の空気透過性領域５２の複数のスルーホールであるスルーホール５５の全てが、密封プラテンの連続的な無孔領域４１６の局地的な領域によって、それぞれ密封（閉塞）される。（特定の例によると、密封プラテンが第２の密封位置に位置する際、図８ａに５５と記された特定のスルーホールは、４１７と記された密封プラテン４１０の局所領域によりそれぞれ閉塞されることになる。）
【００２９】
（図９に示される例示的な密封プラテンのように、）適切な密封が平坦な（接触）面４１５を呈する密封プラテンによって達成されるために、密封確認装置は、カートリッジホルダに回動連結されているプラテン端部が、フィルタカートリッジの主前面に局所的に非常に近接（例えば、直接接触）し得ることで、プラテンが第２の密封位置に回動する際、プラテンの背面４１５の少なくとも実質的にすべての領域４１６が、フィルタカートリッジの空気透過性領域５２の前面に直接接触するように構成できることが理解されるであろう。例えば、密封プラテンが第１の非密封位置に位置する際にフィルタカートリッジの前方を向いている主要面に対する密封プラテンの角度のような様々なパラメータは、プラテンが第１の非密封状態にある際（すなわちレスピレーターが密封確認ではなく、通常の呼吸使用状態にある際）、未濾過空気が、フィルタカートリッジの主前面と密封プラテンの背面との間の隙間を通って適切に流れるように選択することができる。そのような実施形態において、密封プラテンが第２の密封位置に移動することは、カートリッジホルダへのプラテンの回動連結部に対して遠位にあるプラテン端部が、使い捨てのフィルタカートリッジの主前面に対して局地的に垂直の（僅かに円弧形の）経路に沿ってフィルタカートリッジに向かうよう後方へ移動することを伴うことが理解されるであろう。
【００３０】
図７、図８ａ〜図８ｂ及び図９の例示的な実施形態においては、密封プラテン４１０はカートリッジホルダに回動連結されており、プラテンは第２の密封位置に向かって後方に回動可能であるが、他の実施形態においては、密封プラテンは、この密封プラテンが（回動運動によってではなく）並進運動により後方に移動することで、このプラテンが第２の密封位置に押し出されるよう構成してもよいことが理解されるであろう。そのような設計においては、密封プラテンのどちらの端部もカートリッジホルダに回動連結されることはなく、むしろ密封プラテン全体が、使い捨てのフィルタカートリッジの主前面に対して少なくとも実質的に垂直の方向に沿って、使い捨てのフィルタカートリッジに向かって自由に並進運動（例えばスライド）することになる。そのような配置構成により、（フィルタカートリッジのケーシングの各スルーホールが、密封プラテンの局所領域によって個別に閉塞されるという）上述のような、同じ一般的な形式の密封を実施することができる。しかし、プラテンが第１の非密封位置に位置する際、密封プラテンの主背面とフィルタカートリッジの主前面との間により大きな全体的な空気隙間を許容してもよい。
【００３１】
図７、図８ａ〜図８ｂ及び図９の例示的な実施形態において、密封プラテン４１０は、部材４１１（例えばハンドル）によって作動される。この部材は、一方向に回転することで、プラテン４１０を第２の密封位置に移動させることができ、反対の回転方向に回転することで、プラテン４１０を第１の非密封位置に戻すことができる。（ハンドル４１１は、ハンドルが回転する際、密封プラテン４１１を動かすよう構成される、例えばカムを含んでいてもよい。）そのようなハンドルは、択一的に、例えば覆い部６４の主要面に概ね沿って前後にスライド移動することができたり、覆い部６４に対して前方後方に移動可能であったりすることなどが理解されるであろう。
【００３２】
図３、図５ａ〜図５ｂ及び図６で示される一般的な形式の実施形態において、密封確認装置２００は、密封フランジ２１８を含んでいる密封プラテン２１０を使用してもよい。密封フランジ２１８は、上述のような連続的な無孔領域である、プラテン２１０の空気非透過性領域２１６を完全に取り囲んでいる（包囲している）。密封フランジ２１８は密封プラテン２１０の本体部から少なくとも概ね後方に延びて（突出して）おり、プラテン２１０の後部接触面２１５を実現する（図３に最も簡単に図示される）後部接触面２１９を含んでいる。密封プラテン２１０の第１端部は、回動連結部２１２によってカートリッジホルダ６０に（本実施例においては、その覆い部６４に）連結されている。密封プラテン２１０が第１の非密封位置に位置する際、回動連結部に対して遠位の密封プラテン２１０の端部２１３は、フィルタカートリッジ１の主前面５９から前方に離間しており、空気流がその間の空間に流入することができる。
【００３３】
したがって、密封プラテン２１０は、上述の密封プラテン４１０と同様に動作する。１つの相違点は、密封プラテン２１０が（フィルタカートリッジ１の主前面５９に向かって、プラテン２１０の端部２１３が回動することによって）第２の密封位置へ移動する際、密封プラテン２１０の空気非透過性領域２１６全体が、フィルタカートリッジの空気透過性領域５２に接触しないことである。むしろ、密封フランジ２１８の後部接触面２１９が、フィルタカートリッジの空気透過性領域５２の周辺部５８に接触する。言い換えると、例えば、密封プラテンの大部分の背面が（前述の形式の密封プラテンの場合と同様に）図３の点線５８により囲まれた領域５２の全てに接触するのではなく、密封フランジ２１８の背面２１９だけがフィルタカートリッジの主前面に、点線５８自体により示されたフィルタカートリッジの主前面の箇所においてだけ接触することになる。そのような実施形態において、密封は、フィルタカートリッジケーシングのスルーホールへ空気流が到達するのを阻止することによって（密封プラテンの連続的な無孔領域２１６と密封プラテンの密封フランジ２１８が共同で機能することによって）達成されるのであり、スルーホールを個別に密封することによって達成されるのではないことが理解されるであろう。
【００３４】
説明されるように密封プラテン２１０は、移動のやり方の点においても密封プラテン４１０とは異なる。図３、図５ａ〜図５ｂ及び図６の例示的な設計において、プラテン２１０自体の前面はアクチュエータとして機能を果たす。すなわち、第１の非密封位置から第２の密封位置にプラテン２１０を移動するために、ユーザは、例えばハンドルを回すのではなく、（例えば１本以上の指先で）後ろ向きに手で力をかけることにより、プラテン２１０の遠端部を後方に回動させる。そのような実施形態において、着用者が、例えば付勢部材２１４（例えばバネ）を用いて手で後方へ力をかけ続けることで、プラテン２１０が第２の密封位置に維持されてもよい。この付勢部材２１４は、プラテン２１０に後ろ向きにかけ続けられる力が無い場合、プラテン２１０を第１の非密封位置に戻すように設けられる。代替の実施形態において、ラッチ（当業者にはお馴染みの、例えば、いわゆるタッチラッチ）を設けることができる。これにより、第１の後方への移動（例えば、プラテンへの後方への押圧）によってプラテン２１０が第２の密封位置に移動され、後方への力が無くなってもそこに保持される。第２の、続いて起こる後方への移動（例えば、プラテン上の第２の後方への押圧）により、プラテン２１０を次に開放することができ、その位置で第１の非密封位置へプラテンを前方に戻す（例えば付勢部材により）ことができる。
【００３５】
図３、図５ａ〜図５ｂ及び図６での密封確認装置２００と、図７、図８ａ〜図８ｂ及び図９の密封確認装置４００との別の相違は、密封確認装置４００の密封プラテン４１０は、カートリッジホルダ６０の主前面の後方に後ろ向きに配置されている点であり、そのため図７には図示されていない。（密封確認装置４００の作動部材４１１は、プラテン４１０に到達するために、カートリッジホルダ６０の主前面の開口部を通り抜けてもよい。）反対に、密封確認装置２００の密封プラテン２１０は、図３及び図５ａ〜図５ｂを見れば明らかなように、カートリッジホルダ６０の覆い部６４の一部として設けられており、覆い部６４の主前面を実現する密封プラテン２１０の主前面２１１を有する。どちらのアプローチも、（プラテン４１０におけるように）平坦な後部接触面を有する密封プラテン、又は（プラテン２１０におけるように）後方に延びる密封フランジを含む密封プラテンと共に使用することができる。
【００３６】
本明細書に開示の密封フランジは、特に、比較的柔軟な（例えば、本明細書に記載されているように板紙で製造されている）ケーシングを含むフィルタカートリッジと組み合わせて使用される場合、密封プラテンを第２の密封位置に配置／保持するのに使用される密封力が比較的小さい点で有利であることが理解であろう。図６で（密封フランジと共に）示される形式の密封プラテンは、回動によってではなく、本明細書ですでに述べられているやり方と同様に、並進移動によって作動できることが理解されるであろう。
【００３７】
密封確認を実施する別のアプローチが、図１０の例示的な実施形態に示されている。この一般的な形式の密封確認装置５００では、密封プラテン５１０は、使い捨てのフィルタカートリッジの主前面５９に対して少なくとも実質的に平行である方向（例えば、図１０の矢印で示される方向）に、使い捨てのフィルタカートリッジ１の主前面５９に対してスライド移動可能である。使い捨てのフィルタカートリッジ１の主前面５９の第１の空気透過性領域５２は、パターンで配置された複数のスルーホール５５を含んでいる。密封プラテンの空気非透過性領域５１６は、使い捨てのフィルタカートリッジの主前面のスルーホール５５に対して、少なくとも部分的に重なるように配置されたスルーホール５１２によって中断されている非連続的領域である。また、密封プラテン５１０の背面５１５の少なくとも実質的な部分は、使い捨てのフィルタカートリッジの主前面の空気透過性領域５２の少なくとも実質的な部分と重なる関係にあり、接触している（図１０の部分分解図では、密封プラテン５１０は、フィルタカートリッジ１から離されて分解図に示されている。しかし、フィルタカートリッジが中に取り付けられて組み立てられたカートリッジホルダ内でプラテン５１０の背面５１５は、フィルタカートリッジ１の空気透過性領域５２の主前面５９に直接接触することに留意されたい）。
【００３８】
そのような配置構成を用いると、密封プラテン５１０は、使い捨てのフィルタカートリッジの主前面５９に対して、未濾過空気がフィルタカートリッジ１に流入するために、密封プラテン５１０の少なくともいくつかのスルーホール５１２が、フィルタカートリッジ１の主前面５９の領域５２の少なくともいくつかのスルーホール５５と少なくとも部分的に重なる第１の非密封位置と、密封プラテン５１０のスルーホール５１２が、フィルタカートリッジ１の主前面５９の領域５２のいずれのスルーホール５５ともいかなる場所でも重ならない第２の密封位置と、の間でスライド移動可能である。言い換えると、密封プラテン５１０が第２の密封位置に位置する際、フィルタカートリッジ１の主前面５９の領域５２の全てのスルーホール５５が、密封プラテンの非連続的な空気非透過性領域５１６の局所領域によって個別に閉塞されている。特定の実施例によると、プラテン５１０が第１の非密封位置に位置する際、プラテン５１０の５１２’と記された特定のスルーホールの少なくとも一部は、フィルタカートリッジホルダの５５と記された特定のスルーホールと重なる関係にある。プラテン５１０を、図１０に５１８と記された矢印の方向に動かし、プラテンを第２の密封位置に移動すると、スルーホール５５は、プラテン５１０の非連続的な空気非透過性領域５１６の局所的な空気非透過性領域５１７によって個別に閉塞されることになる。
【００３９】
当業者であれば、プラテン５１０の非連続的な空気非透過性領域５１６（スルーホールにより中断されている非連続的な空気非透過性領域）と、すでに説明したプラテン４１０の連続的な無孔領域（空気非透過性）４１６との相違を容易に理解するであろう。また、フィルタカートリッジのスルーホールに対して少なくとも部分的にパターンで重なる密封プラテンのスルーホールの概念は、密封プラテンのスルーホールの中心対中心の距離と方向が、フィルタカートリッジのスルーホールのそれらと正確に同じでなければならないことを意味するわけではないことに留意されたい。フィルタカートリッジの全てのスルーホールが、密封プラテンのスルーホールに正確に対応するスルーホールを有している必要はない（実際、同数の穴が存在する必要はない）。必要な全てのことは、密封プラテンのスルーホールがパターンで配置されることであり、フィルタカートリッジの少なくともいくつかのスルーホールの少なくともいくつかの部分がプラテンの局所的な空気非透過性領域により遮断されないような少なくとも１つの位置に密封プラテンを配置することができ、かつ、フィルタカートリッジの全てのスルーホールの全ての部分が密封プラテンの局所的な空気非透過性領域により遮断されている少なくとも１つの別の位置に密封プラテンをスライド移動可能なことである。言い換えると、第１の非密封位置は、フィルタカートリッジのスルーホールによる、プラテンのスルーホールの完全な重なり合いを要求しない。しかし、いくつかの特定の実施形態において、プラテンのスルーホールは、フィルタカートリッジのスルーホールと同じ中心対中心距離と方向を有するように配置してもよい。
【００４０】
図１０に示される一般的な形式の実施形態において、密封プラテン５１０の背面５１５の少なくとも実質的な部分は、密封プラテンが第１の非密封位置に位置する場合であっても、使い捨てのフィルタカートリッジの主前面の空気透過性領域５２の少なくとも実質的な部分と接触することになることもまた理解されるであろう。これは、密封プラテンが第１の非密封位置に位置する際、密封プラテンの背面の少なくとも実質的な部分が、使い捨てのフィルタカートリッジの主前面から離れて配置されることになる、すでに前に述べた一般的な形式の実施形態とは反対である。
【００４１】
図１０に示される実施形態において、密封プラテン５１０はアクチュエータ５１１によってスライド移動可能である。当業者であれば、所望のように配置された、任意の適切な形式のアクチュエータが使用可能であることを理解するであろう。例えば、そのようなアクチュエータは、カートリッジホルダの上流保持部（例えば覆い部）に設けられた開口部を通して、例えば外側に延びるロッドを含んでいてもよい。図１０の特定の例示的な実施形態は、（スライド可能）並進可能な密封プラテンを示しているが、本明細書に開示される配置構成はまた、カートリッジホルダに取り付けられているフィルタカートリッジのスルーホールの（少なくとも部分的な）配列の内及び外に、密封プラテンのスルーホールをもたらすように、密封プラテンが（スライド可能）回転可能である設計を含むことが、更に理解されるであろう。どのような特定のアプローチであっても、カートリッジホルダとフィルタカートリッジは、フィルタカートリッジがカートリッジホルダに取り付けられる際、フィルタカートリッジケーシングのスルーホールが、密封プラテンのスルーホールに対して自動的に割り当てられるように、有利に設計することができることが理解されるであろう。かくて、密封プラテンは、第１の非密封位置と第２の密封位置との間で、本明細書に開示の一般的なやり方で移動可能である。
【００４２】
要するに、レスピレーターの負圧密封確認を実施するためにフィルタカートリッジを密封することができる様々な配置構成が、本明細書に提示されている。これらのアプローチの多くは、密封プラテンが、フィルタカートリッジのすぐ上流（例えば、空気流経路の上流プレナム内）に配置されており、密封プラテンの面の少なくとも一部（例えば背面）がフィルタカートリッジの主上流面（例えば主前面）の空気透過性領域の少なくとも一部と接触可能であることにより、所望の密封を実施するよう構成される、という共通のテーマを有していることが理解されるであろう。（他の実施形態において、所望される場合、密封は、密封プラテンの下流面を、フィルタカートリッジの主下流面に向き合わせることにより、及び／又は密封プラテンの主前面をフィルタカートリッジの主背面に向き合わせることにより、実施してもよい。）（例えば、本明細書内で後に詳しく参照される米国特許第６２／１８６５６６号内で開示されている配置のように、）未濾過空気吸入口がフィルタカートリッジの後方面上に設けられているフィルタカートリッジにおいては、上流空気プレナムはフィルタカートリッジの後ろ側にあり、下流空気プレナムはフィルタカートリッジの前側にあることを強調しておく。したがって、フィルタカートリッジの上流面を密封するために、例えば密封プラテンの背面がフィルタカートリッジの前面と接触するよう記述されている、本明細書の全ての説明は、逆に理解すべきであろう。しかし、本明細書に記載の、その他全ての態様、特徴、部品は、そのような設計にそのまま適合するであろう。
【００４３】
（マスク本体３１０から切り離されて示されている）カートリッジホルダ６０を含む例示的なレスピレーター３００が、前側面の部分分解斜視図の図１に示されている。例示的な実施形態において、例示的なレスピレーター３００は、鼻と口を覆い、内部空気空間３１２を画定するためにユーザによって装着されるハーフマスク型のレスピレーターである。しかし、本明細書に開示のフィルタカートリッジ１とカートリッジホルダ６０は、例えばフルマスク型のレスピレーター、送気型のレスピレーターなどを含む、いかなる種類のレスピレーターとともに使用されてもよい。いくつかの実施形態において、マスク本体３１０は、１つ以上の少なくとも準剛体部と、弾性的な顔面接触部と、を含んでいてもよい。呼吸弁３１１は、呼気が内部の空気空間から排出されるように設けてもよい。レスピレーター３００はまた、ユーザの顔面に取り付けられる際にレスピレーターを保持可能なハーネスアセンブリ（不図示）を含んでもよい。
【００４４】
カートリッジホルダ６０は、任意の所望のやり方で、マスク本体３１０に接続されてもよい。例えば、図１及び図２に示されているように、マスク本体３１０は、カートリッジホルダ６０の相補的固定具７０と対になるよう構成された１つ以上の固定具３４０を含んでいてもよい。そのような固定具は、カートリッジホルダ６０から、マスク本体３１０の濾過空気を受け入れる内側部３１２への空気流経路を実現する（例えば画定する）ように協動することができる。他の配置構成において、空気流経路は、マスク本体にカートリッジホルダを固定するために使用される固定具（単数または複数）とは関係なく設けることができる。例えば、空気流経路は、例えばオリフィスと対になるスリーブによって形成されてもよい。一方、固定具／締め付け部の別個の組が、カートリッジ及びマスク本体を共に保持する主要なメカニズムであってもよい。
【００４５】
濾材１０は、任意の好適な材料、例えば蛇腹にすることが可能な材料により製造されてもよい。潜在的に好適な材料として、例えば、紙；熱可塑性材料又は熱硬化性材料の多孔質フィルム；不織布、例えば、合成繊維若しくは天然繊維のメルトブローンウェブ又はスパンボンドウェブ；スクリム；織布材料又は編布材料；発泡体；エレクトレット材料又は静電的に帯電した材料；ガラス繊維材料；又は２つ以上の材料の積層体若しくは複合物が挙げられ得る。例えば、ポリエチレン、ポリプロピレン又はポリ（乳酸）で構成される不織布ポリマーウェブが好適であり得る。不織布ウェブを形成する任意の好適な方法（例えば、メルトブローン、メルトスピニング、カーディングなど）が使用され得る。また濾材１０は、収着剤、触媒及び／又は活性炭（細粒、繊維、布地及び成形形材）を含み得る。
【００４６】
また、多層材料（例えば積層材料）もまた、濾材１０として使用することができる。例えば、そのような材料は、例えば、上記の材料のラミネート層、又はフィルタ材料の１つ以上の層に積層された他の基材からなり得る。いくつかの実施形態では、濾材１０の上流側で、プレフィルタ層が使用され得る。そのようなプレフィルタ層は、例えば、ポリプロピレン、ポリエチレン、ポリエチレンテレフタレート、ポリ（乳酸）、又はこれらの材料のブレンドを含み得るか、又はファイバーグラスを含み得る。言い換えると、いくつかの実施形態では、濾材１０は、任意の目的で要求される任意の他の層（単数又は複数）と共に、ベース（例えば、濾過）層を備えてもよい。例えば、高度に開放したプラスチックネット又はメッシュが、例えば材料の耐摩耗性を向上させるために、材料に積層されてもよい。任意のそのような層は、任意の好適な方法によって、例えば、溶融接合によって、接着剤（ホットメルト接着剤、感圧性接着剤など）、カレンダー加工、超音波接合などを用いて、例えばベース（例えば濾過）層に接合され得る。
【００４７】
具体的な実施形態では、濾材１０は、例えば任意の帯電材料、例えば米国特許第ＲＥ３０７８２号に記載されているようなスプリットフィブリル化帯電繊維で構成されるエレクトレット材料であり得る。そのような帯電繊維で、従来の手段により不織布ウェブを形成してもよく、任意選択的に、例えば、米国特許第５２３０８００号に開示されるように、帯電繊維をスクリムに接合して、外側支持層を形成してもよい。他の具体的な実施形態では、濾材１０は、例えば米国特許第４８１３９４８号に開示されるように、メルトブローンマイクロファイバー不織布ウェブとすることができ、メルトブローンマイクロファイバー不織布ウェブは、任意選択的に、当該米国特許に開示されるように、ウェブ形成中に２次層に接合する、又はその後に、任意の従来の様式で２次ウェブに接合することができる。特定の適用例に特に好適であり得る濾材には、例えば、米国特許第８１６２１５３号（Ｆｏｘ）に記載された一般的なタイプの材料；米国特許出願公開第２００８００３８９７６号（Ｂｅｒｒｉｇａｎ）に記載された一般的なタイプの材料；及び米国特許出願公開第２００４００１１２０４号（Ｂｏｔｈ）に記載された一般的なタイプの材料、並びに摩擦帯電材料として一般に知られている材料が挙げられ得る。所望される場合、エレクトレットを形成するために、任意のそのような材料を帯電させることができる。濾材は、粒子、蒸気、ガス、又はそれらの任意の混合物を濾過する（捉える）構成であってもよい。
【００４８】
本明細書内での使用に適し得る、様々なフィルタカートリッジ及びそれらの濾材は、２０１５年６月３０日に出願された、代理人整理番号７６２９６ＵＳ００２の、ＦＩＬＴＥＲ  ＣＡＲＴＲＩＤＧＥ  ＣＯＭＰＲＩＳＩＮＧ  ＦＩＬＴＥＲ  ＭＥＤＩＡ  ＷＩＴＨ  ＡＤＨＥＳＩＶＥＬＹ  ＥＤＧＥ−ＳＥＡＬＥＤ  ＥＮＤＳ、ＡＮＤ  ＭＥＴＨＯＤ  ＯＦ  ＭＡＫＩＮＧ  ＡＮＤ  ＵＳＩＮＧと題された米国特許第６２／１８６５６６号内に更に詳細に説明されている。’５６６号は全体を参照することで本明細書に組み込まれる（例えば’５６６号に記載されているような接着ダムを用いた、濾材の永久的な縁密封は、本明細書に記載の密封確認を行うための、使い捨てのフィルタカートリッジの一時的な密封とは、区別されることに留意する）。
【００４９】
いくつかの実施形態において、濾材１０は蛇腹状の濾材である。特定の実施形態において、濾材は、’５６６号に詳細が説明されているように、蛇腹状の材料の第１及び第２の（閉塞された）端部への、固まった接着剤の縁部シールを含む、蛇腹状の濾材である。濾材が蛇腹状ではないいくつかの実施形態において、濾材は、例えば上述と同様の第１と第２の空気透過性の（例えば穿孔された）主要面を有するケーシングに覆われている、（例えば、活性カーボンなどのようなモノリシックな）多孔性のブロックであってもよい。
【００５０】
いくつかの実施形態において、フィルタカートリッジ１は、カートリッジホルダ６０内に存在する濾過部材のみであってもよい。しかし、他の実施形態において、材料の１つ以上の層が、いくつかの追加の目的のために、（例えば、フィルタカートリッジ１に対して重なり合う位置関係にあったり、例えばフィルタカートリッジ１の主要面を押すように）、カートリッジホルダ６０内に存在していてもよい。そのような層（単数又は複数）は、ガス状の流体（例えば空気流）と相互作用することで、１つ以上の要素（例えばガス、蒸気、個体粒子、エアロゾルなど）をそこから少なくとも部分的に取り除く、１つ以上の材料を含んでも良い。流体中の成分は、例えば、活性溶媒の上や内部へと取り込まれていてもよく、反応材料と反応してもよく、触媒に露出するなどをしてもよい。そのような使用に潜在的に適した材料には、例えば、活性炭；アルミナ及び他の金属酸化物；炭化水素ナトリウム；吸着、化学反応、又はアマルガム化によって流体からある成分を除去できる金属微粒子（例えば銀粒子）；ホプカライト及び／又は金（一酸化炭素の酸化を触媒できる）などの触媒；酢酸などの酸性溶液又は水酸化ナトリウム水溶液などのアルカリ性溶液で処理された粘土及び他の無機質；イオン交換樹脂；モレキュラーシーブ及び他のゼオライト；シリカ；殺虫剤；殺菌剤及び抗ウイルス剤が挙げられる。そのような任意の材料の混合物を採用することができる。他の実施形態において、そのような材料は、粒子を与えられたウェブ層内の粒子として提供されてもよい。これらの任意のアプローチの組合せを用いてもよい。所望される場合、そのような材料は、例えば１つ以上の含浸材と共に処理され、ガス除去能力を向上してもよい。処理される材料の実施例として、科学的に表面処理された活性炭を含む。
【００５１】
本明細書において、カートリッジホルダの覆い部は、カートリッジホルダのベース部に対して移動可能であると説明している、技術的な説明がなされてきたが、そのような技術的な説明は、ベース部を覆い部に対して動かすこと、及びベース部と覆い部を互いに対して動かすことのようなすべての変形を含むと理解されるであろう。いくつかの実施形態において、カートリッジホルダ６０の少なくとも一部は、フィルタカートリッジ１がホルダ内で適正に収容されているかをユーザが判断できるよう、充分に透明であってもよい。本明細書に開示されている使用を容易にするために、キット（例えば、説明書付きの補充キット）が、所望される場合、例えば少なくとも１つのカートリッジホルダと一緒に、複数のフィルタカートリッジを含んで提供されてもよい。いくつかの実施形態において、レスピレーター３００は、１つのカートリッジホルダとフィルタカートリッジのみを含んでいてもよく、それらはレスピレーター本体に対して対称又は非対称に位置していてもよい。例示的な実施形態において、例示的なレスピレーター３００は、シングルカートリッジの、ハーフマスク型のレスピレーターである。しかし、本明細書に開示のカートリッジホルダとフィルタカートリッジは、例えばフルマスク型のレスピレーターや送気型のレスピレーターなどを含む、いかなる種類のレスピレーターと共に使用されてもよい。更に、本明細書に開示の２つのカートリッジホルダとそれらに対応するフィルタカートリッジは、２つのそのようなホルダとカートリッジを受け入れるレスピレーターと共に使用されてもよい。
【００５２】
例示的な実施形態のリスト
実施形態１は、レスピレーターのマスク本体に流体連結されるよう構成されており、かつ内部の使い捨てのフィルタカートリッジを確実に保持するよう構成されているカートリッジホルダであって、
前記アクチュエータによって前記レスピレーターのユーザが、前記密封プラテンを第１の非密封位置と第２の密封位置との間で手動で前後に移動させることができ、
前記第１の非密封位置は、前記カートリッジホルダ内に保持されている使い捨てのフィルタカートリッジを空気流が通過できる非密封位置であり、
前記第２の密封位置は、前記密封プラテンの空気非透過性領域の少なくとも一部の背面が、前記使い捨てのフィルタカートリッジの主前面の第１の空気透過性領域の少なくとも周囲と直接接触している、又は前記密封プラテンの空気非透過性領域の少なくとも一部の前面が、前記使い捨てのフィルタカートリッジの主背面の第２の空気透過性領域の少なくとも周囲と直接接触している密封位置であり、これにより、空気流が前記使い捨てのフィルタカートリッジを通過するのを防止するために、前記使い捨てのフィルタカートリッジの前記主前面の前記第１の空気透過性領域が密封される、又は前記使い捨てのフィルタカートリッジの前記主背面の前記第２の空気透過性領域が密封される、カートリッジホルダである。
【００５３】
実施形態２は、前記密封プラテンが前記第２の密封位置に位置する際、前記密封プラテンの空気非透過性領域の少なくとも一部の背面が、前記使い捨てのフィルタカートリッジの主前面の第１の空気透過性領域の少なくとも周囲と直接接しており、前記使い捨てのフィルタカートリッジの前記主前面の前記第１の空気透過性領域が密封され、これにより、前記使い捨てのフィルタカートリッジの中へ濾過されていない空気が流入することが防止される、実施形態１のカートリッジホルダである。実施形態３は、使い捨てのフィルタカートリッジの主前面の第１の空気透過性領域が、複数のスルーホールを含んでおり、密封プラテンの空気非透過性領域が、連続的に穴の開いていない領域であり、かつ、密封プラテンが第２の密封位置にいる際、使い捨てのフィルタカートリッジの第１の主要面の複数のスルーホールのうちの全てのスルーホールが、密封プラテンの連続的に穴の開いていない領域の局所領域によりそれぞれ閉塞されている、実施形態２のカートリッジホルダである。実施形態４は、密封プラテンの第１の端部が、回動連結部によりフィルタカートリッジに回動連結されており、かつ、密封プラテンが、回動連結部から離れている密封プラテンの少なくとも第２の端部が、使い捨てのフィルタカートリッジの主前面から前方に離れて位置している、第１の非密封位置と、密封プラテンの少なくとも第２の端部の背面が、使い捨てのフィルタカートリッジの主前面の一部と直接接触している、第２の密封位置と、の間を移動可能である、実施形態３のカートリッジホルダである。
【００５４】
実施形態５は、使い捨てのフィルタカートリッジの主前面の第１の空気透過性領域が、繰り返し配置されている複数のスルーホールを備え、密封プラテンの空気非透過性領域が、密封プラテンが第１の非密封位置にいる際、使い捨てのフィルタカートリッジの主前面のスルーホールと少なくとも部分的に重なるよう繰り返し配置されているスルーホールによって遮られている不連続な空気非透過性領域であり、密封プラテンの背面の少なくとも実質的な部分が、使い捨てのフィルタカートリッジの主前面の第１の空気透過性領域の少なくとも実質的な部分と、重なる位置関係にあり、かつ接触しており、かつ、密封プラテンが、使い捨てのフィルタカートリッジの主前面に対して、使い捨てのフィルタカートリッジの主前面に少なくとも実質的に平行な方向に、第１の非密封位置と第２の密封位置との間を滑ることで移動可能であり、第１の非密封位置が、濾過されていない空気の流れが使い捨てのフィルタカートリッジ内に流れるために、密封プラテンの少なくともいくつかのスルーホールの少なくともいくつかの部分が、使い捨てのフィルタカートリッジの主前面の少なくともいくつかのスルーホールと少なくとも部分的に重なる非密封位置であり、第２の密封位置が、密封プラテンのスルーホールのいかなる部分も、使い捨てのフィルタカートリッジの主前面のスルーホールのいかなる部分とも重ならない非密封位置であり、第２の密封位置において、使い捨てのフィルタカートリッジの主前面の複数のスルーホールのうちの全てのスルーホールが、密封プラテンの不連続な空気非透過性領域の局所領域によりそれぞれ閉塞されている、実施形態２〜３のいずれかのカートリッジホルダである。
【００５５】
実施形態６は、密封プラテンの空気非透過性領域が、連続的に穴の開いていない領域であり、密封プラテンが、密封プラテンの連続的に穴の開いていない空気非透過性領域の周囲の周辺全体に延びており、そこから概ね後方に延びている、後方面を有している密封フランジを含み、密封プラテンが第２の密封位置にいる際、密封フランジの後方面全体が、使い捨てのフィルタカートリッジの第１の前向きの主要面の空気透過性領域の周囲に直接接触している、実施形態２のカートリッジホルダである。実施形態７は、アクチュエータが、密封プラテンの主前面を含んでおり、主前面は後方に手で押すことができ、それにより少なくとも第２の密封位置へと密封プラテンを動作する、実施形態２〜４のいずれかのカートリッジホルダである。
【００５６】
実施形態８は、アクチュエータが、移動されることで密封プラテンを少なくとも第２の密封位置に動作可能な移動可能ハンドルを含んでいる、実施形態２〜７のいずれかのカートリッジホルダである。実施形態９は、密封プラテン及び／又はアクチュエータが、第１の非密封位置に向かって付勢され、手による継続的なアクチュエータへの動作力がユーザによって維持されなければ、密封プラテンが第２の密封位置から第１の非密封位置に戻されるであろう、実施形態２〜８のいずれかのカートリッジホルダである。実施形態１０は、密封プラテンが、第１の手による動作工程により、一度第２の密封位置に動作されると、ユーザの手による継続的なアクチュエータへの動作力が無いと、第２の密封位置に維持され、第２の手による動作工程が、第２の密封位置から第１の非密封位置へと密封プラテンを動作するために必要である、実施形態２〜８のいずれかのカートリッジホルダである。
【００５７】
実施形態１１は、カートリッジホルダが、カートリッジホルダの主前面を実現する覆い部と、カートリッジホルダの主背面を実現するベース部と、を含んでおり、覆い部が、使い捨てのフィルタカートリッジがホルダ内へと取り付け可能である、第１の開位置と、覆い部とベース部が、カートリッジホルダ内に取り付けられている使い捨てのフィルタカートリッジを確実に保持する第２の閉位置と、の間でベース部に対して移動可能である、実施形態１〜１０のいずれかのカートリッジホルダである。実施形態１２は、覆い部が、第１の補完的な嵌合特徴部を含んでおり、ベース部が、覆い部の第１の補完的な嵌合特徴部を補完する第２の補完的な嵌合特徴部を含んでおり、第１と第２の補完的な嵌合特徴部が、覆い部が第２の閉位置にいる際、覆い部を閉位置に保持し、使い捨てのフィルタカートリッジをカートリッジホルダ内に確実に保持するために、使い捨てのフィルタカートリッジの第１と第２の主要面に向かって、覆い部とベース部による圧縮力を発生させるラッチを、共同して実現している、実施形態１１のカートリッジホルダである。実施形態１３は、カートリッジホルダが、濾過されていない空気の吸入口を含んでおり、その吸入口が、覆い部の下端とベース部の下端の間で画定され、その吸入口により、濾過されていない空気が使い捨てのフィルタカートリッジの前方に位置する上流プレナムに入る、実施形態１１〜１２のいずれかのカートリッジホルダである。
【００５８】
実施形態１４は、マスク本体と、マスク本体に流体連結される、実施形態１〜１３のいずれかの少なくとも１つのカートリッジホルダと、を含んでいる、レスピレーターである。実施形態１５は、カートリッジホルダ内に取り付けられている使い捨てのフィルタカートリッジを更に含んでいる、実施形態１４のレスピレーターである。
【００５９】
実施形態１６は、使い捨てのフィルタカートリッジがカートリッジホルダ内に取り付けられ、カートリッジホルダが閉位置にある際、レスピレーターが、使い捨てのフィルタカートリッジの後方に位置している下流プレナムを含んでおり、かつ、フィルタカートリッジを通過して流れる濾過された空気を受け入れる、下流空気経路を含んでおり、下流空経路が、レスピレーターのマスク本体へと、カートリッジホルダの下流プレナムを流体連通する、カートリッジホルダの空気流出経路を更に含んでおり、下流空気経路が、マスク本体の内側にある濾過空気受け入れ部を更に含んでおり、密封確認装置のいかなる部分も、レスピレーターの下流空気経路の中に、若しくは部分的に中に位置しておらず、又は接触していない、実施形態１４〜１５のいずれかのレスピレーターである。実施形態１７は、レスピレーターが、ハーフマスク型のレスピレーター、フルマスク型のレスピレーター、又は送気型のレスピレーターである、実施形態１４〜１６のいずれかのレスピレーターである。
【００６０】
実施形態１８は、負圧密封確認装置を含んでいるカートリッジホルダ内に取り付けられるよう構成されている使い捨てのフィルタカートリッジであって、使い捨てのフィルタカートリッジが、使い捨てのフィルタカートリッジの主上流面の第１の空気透過性領域を含んでおり、濾過されていない空気の流れが使い捨てのフィルタカートリッジの中に流れることを防ぐために、その第１の空気透過性領域の少なくとも一部が、カートリッジホルダの密封確認装置の密封プラテンの空気非透過性領域の少なくとも一部と直接接しているよう構成されている、使い捨てのフィルタカートリッジである。実施形態１９は、使い捨てのフィルタカートリッジが、実施形態１〜１３のいずれかのカートリッジホルダの中に取り付けられるよう構成されている、実施形態１８の使い捨てのフィルタカートリッジである。実施形態２０は、使い捨てのフィルタカートリッジが、第１の主側面と、第２の反対向きの主側面と、を含んでいる濾材と、濾材の第１の主側面の外側に位置し、使い捨てのフィルタカートリッジの主前面の第１の空気透過性領域を実現する第１の主要部と、濾材の第２の反対向きの主側面の外側に位置し、使い捨てのフィルタカートリッジの主背面の第２の空気透過性領域を実現する第２の主要部と、を有しているケーシングと、を含んでいる、実施形態１８〜１９のいずれかの使い捨てのフィルタカートリッジである。
【００６１】
実施形態２１は、ケーシングが板紙を含み、使い捨てのフィルタカートリッジの第１と第２の主要面の第１と第２の空気透過性領域が、それぞれケーシングの第１と第２の主要部内の複数のスルーホールにより実現されている、実施形態２０の使い捨てのフィルタカートリッジである。実施形態２２は、使い捨てのフィルタカートリッジが、前後対称であり、かつ、前後に逆にすることが可能な、実施形態１８〜２１のいずれかの使い捨てのフィルタカートリッジである。実施形態２３は、実施形態１８〜２１のいずれかの複数の使い捨てのフィルタカートリッジを含む、キットである。
【００６２】
実施形態２４は、レスピレーターのマスク本体に流体連結されるよう構成され、かつ内部の使い捨てのフィルタカートリッジを確実に保持するよう構成されているカートリッジホルダであって、使い捨てのフィルタカートリッジの主上流面の空気透過性領域を密封し、空気流に使い捨てのフィルタカートリッジを通過させないために、カートリッジホルダが、アクチュエータに作動的に連結されている密封プラテンを含んでいる、密封確認装置を含んでおり、アクチュエータによりレスピレーターのユーザが密封プラテンを第１の非密封位置と第２の密封位置との間で手で前後に動作させることができ、第１の非密封位置が、カートリッジホルダ内に保持されている使い捨てのフィルタカートリッジを空気流が通過する非密封位置であり、第２の密封位置が、密封プラテンの空気非透過性領域の少なくとも一部の主要面が、使い捨てのフィルタカートリッジの主上流面の空気透過性領域の少なくとも周囲と直接接触する密封位置である、カートリッジホルダである。
【００６３】
実施形態２５は、マスク本体と、密封確認装置及び内部に確実に保持されている使い捨てのフィルタカートリッジを有しているカートリッジホルダと、を含んでいるレスピレーターの密封確認の方法であって、使い捨てのフィルタカートリッジの主上流面の空気透過性領域を密封し、空気流の使い捨てのフィルタカートリッジへの流入及び吸入を防ぐために、カートリッジホルダ内で保持されている使い捨てのフィルタカートリッジを空気流が通過する第１の非密封位置から、密封プラテンの空気非透過性領域の少なくとも一部の主要面が、使い捨てのフィルタカートリッジの主上流面の空気透過性領域の少なくとも周囲と直接接している、第２の密封位置へと、密封確認装置の密封プラテンを手で動作させるステップを含んでいる方法である。実施形態２６は、カートリッジホルダが、実施形態１〜１３のいずれかのカートリッジホルダである、実施形態２５のレスピレーターの密封確認方法である。
【００６４】
当業者には、本明細書で開示されている、特定の例示的な要素、構造、特徴、詳細、構成などは、修正可能及び／又は多くの実施形態と組み合わせ可能であることが明らかであろう。すべてのかかる変形例及び組み合わせは、発明者によって、考えられた発明の境界内であると企図され、例示的な図示として役立つように選択された単なる代表的な設計ではない。したがって、本発明の範囲は、本明細書に記載される特定の例示的な構造に限定されるべきではなく、むしろ少なくとも請求項の文言によって説明される構造、及びそれらの構造に相当する構造にまで拡大する。本明細書に代替物として積極的に記載される要素のいずれも、望ましい任意の組み合わせにおいて、特許請求の範囲に明確に含まれる場合も、又は特許請求の範囲から除外される場合もある。オープンエンド言語で本明細書に記載されているいずれの要素又は要素の組み合わせ（例えば、を含む及びその派生体）も、クローズエンド言語（例えば、からなる及びその派生体）並びに一部クローズエンド言語（例えば、から本質的になる、及びその派生体など）で更に記載されているとみなされる。記載されたとおりの本明細書と、参照によって本明細書に援用されるいずれかの文書の開示内容との間に矛盾又は食い違いが存在する場合、記載されたとおりの本明細書が優先するものとする。
【図１】
2018538042.tif 000003
【図２】
2018538042.tif 000004
【図３】
2018538042.tif 000005
【図４】
2018538042.tif 000006
【図５ａ】
2018538042.tif 000007
【図５ｂ】
2018538042.tif 000008
【図６】
2018538042.tif 000009
【図７】
2018538042.tif 000010
【図８ａ】
2018538042.tif 000011
【図８ｂ】
2018538042.tif 000012
【図９】
2018538042.tif 000013
【図１０】
2018538042.tif 000014
【国際調査報告】
2018538042.tif 000015
2018538042.tif 000016